(57)【要約】  複数の基地局装置と無線通信する移動局装置であって、再選択先として選択した基地局装置が、当該移動局装置がキャンプオンできない基地局装置であり、かつ、同一周波数の基地局装置を再選択することの禁止を通知しているときは、該禁止の通知をすぐに適用せず、当該移動局装置からの送信が発生することで前記禁止の通知を適用する移動局装置。
2011087014.tif 000002
【特許請求の範囲】
【請求項１】
複数の基地局装置と無線通信する移動局装置であって、
再選択先として選択した基地局装置が、当該移動局装置がキャンプオンできない基地局装置であり、かつ、同一周波数の基地局装置を再選択することの禁止を通知しているときは、該禁止の通知をすぐに適用せず、当該移動局装置からの送信が発生することで前記禁止の通知を適用する、
移動局装置。
【請求項２】
前記禁止の通知をすぐに適用せず、前記当該移動局装置からの送信が発生したときは、前記再選択先として選択した基地局装置の周波数と異なる周波数の基地局装置の中から前記送信を行なう相手の基地局装置を選択する、
請求項１に記載の移動局装置。
【請求項３】
前記禁止の通知をすぐに適用せず、再選択先として選択した基地局装置が、当該移動局装置がキャンプオン可能な基地局装置であるときは、前記禁止の通知を適用しない、
請求項１に記載の移動局装置。
【請求項４】
前記当該移動局装置からの送信は、キャンプオン中の基地局装置からのページング信号に基づくものである、請求項１に記載の移動局装置。
【請求項５】
前記当該移動局装置からの送信は、当該移動局装置から前記基地局装置との通信の要求に基づくものである、請求項１に記載の移動局装置。
【請求項６】
前記禁止の通知をすぐに適用せず、所定の時間が経過したときは、前記禁止の通知を適用する、請求項１に記載の移動局装置。
【請求項７】
再選択先として選択した基地局装置が、当該移動局装置がキャンプオンできない基地局装置であり、かつ、同一周波数の基地局装置を再選択することの禁止を通知しているときに、前記当該移動局装置からの送信要求が発生し、前記当該移動局装置からの送信要求が、ユーザの当該移動局装置に対する操作入力により発生した送信要求であるときは、ユーザに送信が不可能であることを通知する、請求項１に記載の移動局装置。
【請求項８】
複数の基地局装置と、前記複数の基地局装置と無線通信する移動局装置とを有する移動体通信システムであって、
前記移動局装置は、
再選択先として選択した基地局装置が、当該移動局装置がキャンプオンできない基地局装置であり、かつ、同一周波数の基地局装置を再選択することの禁止を通知しているときは、該禁止の通知を受信後、すぐに該禁止の通知を適用せず、当該移動局装置からの送信が発生したときに前記禁止の通知を適用する、
移動体通信システム。
【請求項９】
複数の基地局装置と無線通信する移動局装置のコンピュータに、
再選択先として選択した基地局装置が、当該移動局装置がキャンプオンできない基地局装置であり、かつ、同一周波数の基地局装置を再選択することの禁止を通知しているときは、該禁止の通知を受信後、すぐに該禁止の通知を適用せず、当該移動局装置からの送信が発生したときに前記禁止の通知を適用する手順
を実行させるためのプログラム。
【発明の詳細な説明】
【技術分野】
【０００１】
本発明は、移動局装置、移動体通信システム、およびプログラムに関する。
本願は、２０１０年１月１４日に、日本に出願された特願２０１０−００５８２１号に基づき優先権を主張し、その内容をここに援用する。
【背景技術】
【０００２】
Ｗ−ＣＤＭＡ（Wideband Code Division Multiple Access；広帯域符号分割多元接続）、ＬＴＥ（Long Term Evolution；（第３世代の）長期発展）、ＬＴＥ−Ａ（LTE-Advanced；ＬＴＥの発展）において、サービスエリアの拡張、個人使用等を目的に、小型の無線基地局Ｈｏｍｅ  （ｅ）ＮｏｄｅＢを導入することが検討されている。Ｈｏｍｅ  （ｅ）ＮｏｄｅＢによって提供されるセル（cell）には、全ユーザが接続することが可能なオープンセル（Open cell）、特定のユーザのみ接続することを許容するＣＳＧセル（ClosedSubscriber Group cell）、オープンセルとＣＳＧセル両方の特徴を持つハイブリッドセル（Hybrid cell）が存在する。現在、３ＧＰＰ（3rd Generation Partnership Project；第３世代パートナーシッププロジェクト）において標準化が進められている。ＣＳＧセルに関する要求事項は非特許文献１の８章に定義されている。【０００３】
周辺セルを測定した結果、再選択先として最も適したセルと判定されたベストランクドセル（best ranked cell）に、キャンプオン（camp on）できなかったＵＥ（User Equipment；ユーザ機器）が、ベストランクドセルと同一周波数のセルにキャンプオンし、該セルと通信を行うと、この通信によって、ベストランクドセルの通信に対して干渉が発生する。このような干渉問題の解決方法として、３ＧＰＰでは、ベストランクドセルが、当該セルと同じ周波数のセルでのキャンプオンを、ＵＥに対して一定時間（例えば、非特許文献４では３００秒間）禁止する同一周波数再選択インディケータ（IntraFreqReselectionIndicator；ＩＦＲＩ）が導入されている（例えば、非特許文献２の６．２章  ＲＲＣ  ｍｅｓｓａｇｅｓを参照）。【０００４】
ＩＦＲＩは、そのセルがベストランクドセルであるにもかかわらず、例えば、そのセルがＣＳＧセルであり、接続が許容されているユーザでないなどの理由で、そのセルでキャンプオンできなかったときに、同じ周波数からセルを再選択することを許容するかを表すインディケーター（indicator）であり、報知情報により通知される。ＩＦＲＩで”ｎｏｔＡｌｌｏｗｅｄ”が示された場合、すなわち同じ周波数のセルでのキャンプオンが禁止された場合、ＵＥは、異なる周波数のセル（inter-frequency cell）へ強制的に再選択される。しかしながら、ベストランクドセルがＣＳＧセルであるとき、該セルへのキャンプに失敗するＵＥへＩＦＲＩを適用すると、他のすべての同一周波数ＣＳＧセル（intra frequency CSG cells）を再選択から外してしまうため、サービス品質劣化が引き起こされることがある。【０００５】
これを解決するため、非特許文献３では、ＵＥにタイマを設け、タイマが満了するまでＩＦＲＩの適用を遅延させる方法を提案している。これにより、ＵＥが移動中であれば、ベストランクドセルは変わるかもしれないので、新しいベストランクドセルで、キャンプオンする可能性がある。
しかし、ベストランクドセルでのキャンプオンが禁止されたままで、タイマも満了したら、ＵＥは干渉の解決のため、ＩＦＲＩを適用して、別の周波数のセルを再選択する。
【先行技術文献】
【非特許文献】
【０００６】
【非特許文献１】3GPP TS 22.011 v8.8.0:“Service accessibility”
【非特許文献２】3GPP TS 36.331 v8.6.0:“Radio Resource Control (RRC) - Protocol Specification”
【非特許文献３】3GPP RAN2#67 R2-094673:“Discussion on Applying IFRI to non-CSG member UE”
【非特許文献４】3 GPP TS 36.304 v8.6.0:“User Equipment (UE) procedures in idle mode”
【発明の概要】
【発明が解決しようとする課題】
【０００７】
しかしながら、非特許文献３の技術においては、ＩＦＲＩをＣＳＧセルから通知後、移動局装置がすぐに通知を適用せず、タイマで適用時期をずらすことにより、他の同一周波数のセルにキャンプオン可能として、他のintra frequencyCSG cellを見つけやすくしているが、タイマが満了するまでの間にＩＦＲＩを通知しているＣＳＧセルと同一周波数の別のセル（例えばＭａｃｒｏセル）と音声通話等通信を開始すると、Ｍａｃｒｏセルと通信を行う移動局装置からＩＦＲＩを通知しているＣＳＧセルへの干渉が発生してしまう。【０００８】
本発明は、このような事情に鑑みてなされたもので、その目的は、同一周波数の基地局装置を再選択することを禁止しているときに、干渉の発生を抑えることができる移動局装置、移動体通信システム、およびプログラムを提供することにある。
【課題を解決するための手段】
【０００９】
（１）この発明は上述した課題を解決するためになされたもので、本発明の一態様は、複数の基地局装置と無線通信する移動局装置であって、再選択先として選択した基地局装置が、当該移動局装置がキャンプオンできない基地局装置であり、かつ、同一周波数の基地局装置を再選択することの禁止を通知しているときは、該禁止の通知をすぐに適用せず、当該移動局装置からの送信が発生することで前記禁止の通知を適用する、移動局装置である。【００１０】
（２）また、本発明の他の態様は、上述の移動局装置であって、前記禁止の通知をすぐに適用せず、前記当該移動局装置からの送信が発生したときは、前記再選択先として選択した基地局装置の周波数と異なる周波数の基地局装置の中から前記送信を行なう相手の基地局装置を選択する。【００１１】
（３）また、本発明の他の態様は、上述の移動局装置であって、前記禁止の通知をすぐに適用せず、再選択先として選択した基地局装置が、当該移動局装置がキャンプオン可能な基地局装置であるときは、前記禁止の通知を適用しない。【００１２】
（４）また、本発明の他の態様は、上述の移動局装置であって、前記当該移動局装置からの送信は、キャンプオン中の基地局装置からのページング信号に基づくものである。【００１３】
（５）また、本発明の他の態様は、上述の移動局装置であって、前記当該移動局装置からの送信は、当該移動局装置からの前記基地局装置との通信の要求に基づくものである。【００１４】
（６）また、本発明の他の態様は、上述の移動局装置であって、前記禁止の通知をすぐに適用せず、所定の時間が経過したときは、前記禁止の通知を適用する。【００１５】
（７）また、本発明の他の態様は、上述の移動局装置であって、再選択先として選択した基地局装置が、当該移動局装置がキャンプオンできない基地局装置であり、かつ、同一周波数の基地局装置を再選択することの禁止を通知しているときに、前記当該移動局装置からの送信要求が発生し、前記当該移動局装置からの送信要求が、ユーザの当該移動局装置に対する操作入力により発生した送信要求であるときは、ユーザに送信が不可能であることを通知する。【００１６】
（８）また、本発明の他の態様は、複数の基地局装置と、前記複数の基地局装置と無線通信する移動局装置とを有する移動体通信システムであって、前記移動局装置は、再選択先として選択した基地局装置が、当該移動局装置がキャンプオンできない基地局装置であり、かつ、同一周波数の基地局装置を再選択することの禁止を通知しているときは、該禁止の通知を受信後、すぐに該禁止の通知を適用せず、当該移動局装置からの送信が発生したときに前記禁止の通知を適用する、
移動体通信システムである。【００１７】
（８）また、本発明の他の態様は、複数の基地局装置と無線通信する移動局装置のコンピュータに、再選択先として選択した基地局装置が、当該移動局装置がキャンプオンできない基地局装置であり、かつ、同一周波数の基地局装置を再選択することの禁止を通知しているときは、該禁止の通知を受信後、すぐに該禁止の通知を適用せず、当該移動局装置からの送信が発生したときに前記禁止の通知を適用する手順を実行させるためのプログラムである。
【発明の効果】
【００１８】
この発明によれば、同一周波数の基地局装置を再選択することを禁止しているときに、移動局装置からの送信が発生するまで、禁止の通知を適用しないので、干渉の発生を抑えることができる。
【図面の簡単な説明】
【００１９】
【図１】この発明の第１の実施形態による移動体通信システムの構成を示す概念図である。
【図２】同実施形態における移動局装置１０の構成を示す概略ブロック図である。
【図３】同実施形態におけるキャンプオン制御部１４４の動作を説明するフローチャートである。
【図４】同実施形態におけるページング信号検出部１４３の動作を説明するフローチャートである。
【図５】同実施形態における通信要求検出部１４１の動作を説明するフローチャートである。
【図６】同実施形態における移動局装置１０の移動経路例を示す図である。
【図７】この発明の第１の実施形態による移動局装置１０ａの構成を示す概略ブロック図である。
【図８】同実施形態におけるタイマ部１４５ａの動作を説明するフローチャートである。
【図９】この発明の第２の実施形態による移動局装置１０ｂの構成を示す概略ブロック図である。
【図１０】同実施形態における通信要求検出部１４１ｂの動作を説明するフローチャートである。
【発明を実施するための形態】
【００２０】
［第１の実施形態］
以下、図面を参照して、本発明の第１の実施形態について説明する。図１は、本実施形態による移動体通信システムの構成を示す概念図である。本実施形態による移動体通信システムは、移動局装置１０、基地局装置２1、２２、ＣＳＧ基地局装置３１、３２を有する。基地局装置２１は、周波数ｆ1のマクロセルの基地局装置であり、基地局装置２２は、周波数ｆ１とは異なる周波数ｆ２のマクロセルの基地局装置である。ＣＳＧ基地局装置３１、３２は、周波数ｆ１のＣＳＧセルの基地局装置である。そして、基地局装置２１のセルと、基地局装置２２のセルとは重複しており、その中にＣＳＧ基地局装置３１、３２のＣＳＧセルが存在する。移動局装置１０は、本実施形態におけるＵＥであり、ＣＳＧ基地局装置３１には未登録でキャンプオンできないが、ＣＳＧ基地局装置３２には登録されており、キャンプオン可能である。なお、キャンプオンとは、移動局装置が、待ち受け状態で、その基地局装置から送信されるページング信号を監視している状態のことで、３ＧＰＰ  ＴＳ  ３６．３０４（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｕｓｅｒ  Ｅｑｕｉｐｍｅｎｎｔ（ＵＥ）  ｐｒｏｃｅｄｕｒｅ  ｉｎ  ｉｄｌｅ  ｍｏｄｅ）のＣａｍｐｅｄ  Ｎｏｒｍａｌｌｙ状態のことである。また、本実施形態における移動体通信システムは、移動局装置１０を１つのみ有するが複数であってもよい。また、基地局装置およびＣＳＧ基地局装置は、２つずつ有しているが、２つを超える数を有していてもよいし、１つのみを有していてもよい。
【００２１】
図２は、本実施形態における移動局装置１０の構成を示す概略ブロック図である。図２に示すように移動局装置１０は、アンテナ１１、送信部１２、受信部１３、制御部１４、記憶部１５、ＵＩ（User Interface）部１６を具備する。制御部１４は、通信要求検出部１４１、通信処理部１４２、ページング信号検出部１４３、キャンプオン制御部１４４を具備する。アンテナ１１は、基地局装置２１、２２、ＣＳＧ基地局装置３１、３２との間で、無線信号を送受信する。送信部１２は、基地局装置に送信する送信データを変調した後、無線周波数にアップコンバートしてアンテナ１１を介して送信する。受信部１３は、アンテナ１１を介して受信した基地局装置からの信号を、ベースバンド周波数にダウンコンバートした後、復調して受信データを得る。制御部１４は、移動局装置１０の各部を制御する。記憶部１５は、基地局装置から受信した同一周波数再選択インディケータを示すＩＦＲＩ情報、当該移動局装置１０が使用可能なＣＳＧ基地局装置の識別情報（例えば、ＣＳＧ＿ＩＤ）を記憶するＣＳＧリスト（allowed CSG list、CSG whitelist）など、制御部１４が各部を制御するための情報を記憶する。ＵＩ部１６は、ユーザからの操作入力を行うキーボタンと、ユーザからの情報入力を行うマイクと、ユーザへの情報出力を行うディスプレイ、スピーカとを備える。
【００２２】
通信要求検出部１４１は、移動局装置１０が待ち受け状態にあるときに、メールを送信する、電話をかけるなど、ＵＩ部１６を介したユーザから操作入力により、基地局装置への送信の要求が発生したことを検出する。通信処理部１４２は、送信部１２および受信部１３を介して、基地局装置との通信処理を行う。通信処理の対象となる送信データと受信データのうち、送信データについては、ユーザからの操作入力および情報入力に基づき、ＵＩ部１６が生成する。受信部１３から受けた受信データについては、ＵＩ部１６に出力する。ページング信号検出部１４３は、受信部１３が基地局装置からのページング信号を受信したことを検出する。キャンプオン制御部１４４は、当該移動局装置１０が待ち受け状態にあるときに、キャンプオン先の基地局装置を決定し、受信部１３が該基地局装置からのページング信号を受信するように、受信周波数などを設定する。
【００２３】
図３は、キャンプオン制御部１４４の動作を説明するフローチャートである。キャンプオン制御部１４４は、移動局装置１０が待ち受け状態にある間、図３に示すようなフローチャートに従い動作する。キャンプオン制御部１４４は、移動局装置１０が待ち受け状態になると、周辺基地局装置の送信周波数を受信部１３に設定して、周辺基地局装置からの信号の受信レベルを受信部１３に測定させるセルサーチを、定期的に行う（Ｓａ１）。キャンプオン制御部１４４は、セルサーチの結果に基づき、セル再選択を行うか否かを判定する（Ｓａ２）。例えば、キャンプオン制御部１４４は、セルサーチを行った受信部１３が、キャンプオン中の基地局装置からの信号の受信レベルよりも、予め決められた閾値以上に高い受信レベルを検出したときは、セル再選択を行なうと決定する。
ここでは説明を簡単にするため、受信レベルのみを基準にしてセル再選択を行うか否かの決定、および、再選択先のセルの決定を行うとして記載したが、受信レベルに加えて周波数に応じた優先度、セル種別、移動局の移動速度など他の条件を考慮して、３ＧＰＰ  ＴＳ  ３６．３０４（ＬＴＥ）、ＴＳ  ２５．３０４（Ｕｓｅｒ  ｅｑｕｉｐｍｅｎｔ（ＵＥ）  ｐｒｏｃｅｄｕｒｅｓ  ｉｎ  ｉｄｌｅ  ｍｏｄｅ  ａｎｄ  ｐｒｏｃｅｄｕｒｅｓ  ｆｏｒ  ｃｅｌｌ  ｒｅｓｅｌｅｃｔｉｏｎ  ｉｎ  ｃｏｎｎｅｃｔｅｄ  ｍｏｄｅ)に従ってセル再選択を行うか否かの決定、および、再選択先のセルの決定を行うようにしてもよい。
キャンプオン制御部１４４は、セル再選択を行なわないと判定したときは（Ｓａ２−Ｎｏ）、定期的にセルサーチを行うために、ステップＳａ１に戻る。
【００２４】
一方、セル再選択を行うと判定したときは（Ｓａ２−Ｙｅｓ）、キャンプオン制御部１４４は、セルサーチの結果、ベストランクドセルとなった基地局装置からの報知情報を含む信号を受信するように、該基地局装置の送信周波数を受信部１３に設定し、受信部１３が受信したベストランクドセルの報知情報を取得する（Ｓａ３）。ここで、ベストランクドセルとは、再選択先を決定する際の評価基準となる値が最も良い値となったセルをさす。キャンプオン制御部１４４は、取得した報知情報に基づき、ベストランクドセルがＣＳＧセルであるか否かを判定する（Ｓａ４）。例えば、本実施形態による移動体通信システムがＬＴＥであれば、報知情報中のSystemInformationBlockType1の情報要素csg-Indication、およびcsg-IdentityからＣＳＧセルであるか否かを判定する。
【００２５】
キャンプオン制御部１４４は、ＣＳＧセルであると判定したときは、当該移動局装置１０が、該ＣＳＧセルの基地局装置に登録されているか、未登録であるかを判定する（Ｓａ５）。例えば、キャンプオン制御部１４４は、記憶部１５からＣＳＧリストを読出し、該ＣＳＧセルの基地局装置を示す情報がＣＳＧリストに含まれているときは、登録されていると判定し、含まれていないときは、未登録であると判定する。このＣＳＧリストは、例えば、ユーザが予め設定しておく。
【００２６】
ステップＳａ４で、ベストランクドセルがＣＳＧセルでないと判定したとき（Ｓａ４−Ｎｏ）、および、ステップＳａ５で、登録されている（未登録でない）と判定したときは（Ｓａ５−Ｎｏ）、キャンプオン制御部１４４は、ベストランクドセルの基地局装置を再選択し、該基地局装置にキャンプオンする（Ｓａ１０）。さらに、キャンプオン制御部１４４は、記憶部１５が記憶するＩＦＲＩ情報をクリアし、ステップＳａ１に戻る。一方、ステップＳａ５で、未登録であると判定したときは（Ｓａ５−Ｙｅｓ）、キャンプオン制御部１４４は、ステップＳａ３にて取得した報知情報の中から、ＩＦＲＩを読出し、「ｎｏｔ  ａｌｌｏｗｅｄ」（同じ周波数のセルの再選択禁止）に設定されているか否かを判定する（Ｓａ６）。ステップＳａ６にて、「ｎｏｔ  ａｌｌｏｗｅｄ」に設定されていないと判定したときは（Ｓａ６−Ｎｏ）、ステップＳａ１のセルサーチの結果、ベストランクドセルの次候補であったセルがキャンプオン中のセルでなければ、キャンプオン制御部１４４は、そのセルの基地局装置を再選択し、該基地局装置にキャンプオンする（Ｓａ１１）。さらに、キャンプオン制御部１４４は、記憶部１５が記憶するＩＦＲＩ情報をクリアし、ステップＳａ１に戻る。
【００２７】
また、ステップＳａ６にて、「ｎｏｔ  ａｌｌｏｗｅｄ」に設定されていると判定したときは（Ｓａ６−Ｙｅｓ）、キャンプオン制御部１４４は、ＩＦＲＩに「ｎｏｔ  ａｌｌｏｗｅｄ」が設定されていたことを示すＩＦＲＩ情報と、ベストランクドセルの周波数を示す情報とを、記憶部１５に記憶させる（Ｓａ７）。さらに、キャンプオン制御部１４４は、当該移動局装置１０がキャンプオンしているか否かを判定する（Ｓａ８）。例えば、電源投入直後などで、キャンプオンしていないと判定したときは（Ｓａ８−Ｎｏ）、ステップＳａ１のセルサーチの結果、ベストランクドセルの次候補であったセルの基地局装置を再選択し、該基地局装置にキャンプオンし（Ｓａ９）、ステップＳａ１に戻る。ステップＳａ８にて、キャンプオンしていると判定したときは（Ｓａ８−Ｙｅｓ）、そのまま、ステップＳａ１に戻る。
【００２８】
図４は、ページング信号検出部１４３の動作を説明するフローチャートである。ページング信号検出部１４３は、移動局装置１０が待ち受け状態にある間、図４に示すようなフローチャートに従い動作する。ページング信号検出部１４３は、移動局装置１０が待ち受け状態になると、受信部１３によるページング信号の受信の検出を待つ（Ｓｂ１）。ページング信号の受信を検出すると（Ｓｂ１−Ｙｅｓ）、ページング信号検出部１４３は、図３のステップＳａ７にてキャンプオン制御部１４４が記憶部１５に記憶させたＩＦＲＩ情報を読出し、ＩＦＲＩが「ｎｏｔ  ａｌｌoｗｅｄ」であったか否かを判定する（Ｓｂ２）。記憶部１５がＩＦＲＩ情報を記憶していない、あるいは、記憶していたＩＦＲＩ情報はＩＦＲＩが「ａｌｌｏｗｅｄ」であったことを示しているなど、ＩＦＲＩが「ｎｏｔ  ａｌｌｏｗｅｄ」でなかったと判定したときは（Ｓｂ２−Ｎｏ）、ページング信号検出部１４３は、キャンプオンしているセルで着信処理を行い、通信処理部１４２に、そのセルの基地局装置との通信を開始させて（Ｓｂ５）、処理を終了する。
【００２９】
ステップＳｂ２にて、ＩＦＲＩが「ｎｏｔ  ａｌｌｏｗｅｄ」であったと判定したときは（Ｓｂ２−Ｙｅｓ）、ページング信号検出部１４３は、図３のステップＳａ７にてキャンプオン制御部１４４が記憶部１５に記憶させたベストランクドセルの周波数を読出し、該周波数以外の周波数を受信部１３に設定して、周辺基地局装置からの信号の受信レベルを受信部１３に測定させるセルサーチを行う。ページング信号検出部１４３は、このセルサーチの結果のベストランクドセルの送受信周波数を、送信部１２と受信部１３とに設定するなどして、該セルに移行する（Ｓｂ３）。ページング信号検出部１４３は、通信処理部１４２に、移行したセルの基地局装置との通信を開始させて（Ｓｂ４）、処理を終了する。
【００３０】
図５は、通信要求検出部１４１の動作を説明するフローチャートである。通信要求検出部１４１は、移動局装置１０が待ち受け状態にある間、図５に示すようなフローチャートに従い動作する。通信要求検出部１４１は、移動局装置１０が待ち受け状態になると、ＵＩ部１６による通信要求の発生の検出を待つ（Ｓｃ１）。通信要求の発生を検出すると（Ｓｃ１−Ｙｅｓ）、通信要求検出部１４１は、図３のステップＳａ７にてキャンプオン制御部１４４が記憶部１５に記憶させたＩＦＲＩ情報を読出し、ＩＦＲＩが「ｎｏｔ  ａｌｌoｗｅｄ」であったか否かを判定する（Ｓｃ２）。記憶部１５がＩＦＲＩ情報を記憶していない、あるいは、記憶していたＩＦＲＩ情報はＩＦＲＩが「ａｌｌｏｗｅｄ」であったことを示しているなど、ＩＦＲＩが「ｎｏｔ  ａｌｌｏｗｅｄ」でなかったと判定したときは（Ｓｃ２−Ｎｏ）、通信要求検出部１４１は、キャンプオンしているセルで発信処理を行い、通信処理部１４２に、そのセルの基地局装置との通信を開始させて（Ｓｃ５）、処理を終了する。
【００３１】
ステップＳｃ２にて、ＩＦＲＩが「ｎｏｔ  ａｌｌｏｗｅｄ」であったと判定したときは（Ｓｃ２−Ｙｅｓ）、通信要求検出部１４１は、図３のステップＳａ７にてキャンプオン制御部１４４が記憶部１５に記憶させたベストランクドセルの周波数を読出し、該周波数以外の周波数を受信部１３に設定して、周辺基地局装置からの信号の受信レベルを受信部１３に測定させるセルサーチを行う。通信要求検出部１４１は、このセルサーチの結果のベストランクドセルの送受信周波数を、送信部１２と受信部１３とに設定するなどして、該セルに移行する（Ｓｃ３）。通信要求検出部１４１は、通信処理部１４２に、移行したセルの基地局装置との通信を開始させて（Ｓｃ４）、処理を終了する。
【００３２】
図６は、移動局装置１０の移動経路例を示す図である。図６に示す移動経路例では、移動局装置１０は、ＣＳＧ基地局装置３１のセル内である位置Ｐ１から、該セル外の位置Ｐ２に移動し、さらに、ＣＳＧ基地局装置３２のセル内である位置Ｐ３まで移動する。このような移動経路を辿るときの動作を説明する。移動局装置１０は、ＣＳＧ基地局装置３１のセル内である図６中の位置Ｐ１にいるときは、該セルには未登録のため、同じ周波数ｆ１のマクロセルである基地局装置２１にキャンプオンする。この場合、キャンプオン制御部１４４は、図３のフローチャートに従い動作する。
【００３３】
すなわち、まず、ステップＳａ１でセルサーチを行い、ステップＳａ２でセル再選択を行うと判定し（Ｓａ２−Ｙｅｓ）、ベストランクドセル、すなわち再選択先として選択した基地局装置がＣＳＧ基地局装置３１となる。このため、ステップＳａ４ではベストランクドセルがＣＳＧセルであると判定する（Ｓａ４−Ｙｅｓ）。さらに、ステップＳａ５では、再選択先として選択したＣＳＧ基地局装置３１は、ＣＳＧリストにないため、移動局装置１０にとってキャンプオンできない基地局装置である、すなわち未登録であると判定する（Ｓａ５−Ｙｅｓ）。そのうえ、ＣＳＧ基地局装置３１は、ＩＦＲＩ＝ｎｏｔ  ａｌｌｏｗｅｄを通知しているので、ステップＳａ６では、同一周波数の基地局装置を再選択することの禁止を通知している、すなわち「ｎｏｔ  ａｌｌｏｗｅｄ」に設定されていると判定する（Ｓａ６−Ｙｅｓ）。そして、ステップＳａ８でキャンプオン済であると判定して（Ｓａ８−Ｙｅｓ）、ステップＳａ１に戻ってセルサーチを行うことを繰り返す。すなわち、「ｎｏｔ  ａｌｌｏｗｅｄ」を通知されても、「ｎｏｔ  ａｌｌｏｗｅｄ」とされる周波数とは異なる周波数の基地局装置へすぐに再選択はしない。
【００３４】
一方、ページング信号検出部１４３は、図４のフローチャートに従い動作するので、受信部１３がページング信号を受信するまで、受信部１３がページング信号を受信したか否かの監視を続ける。並行して、通信要求検出部１４１は、図５のフローチャートに従い動作するので、ＵＩ部１６による通信要求の発生を検出するまで、ＵＩ部１６による通信要求が発生したか否かの監視を続ける。
ＣＳＧ基地局装置３１のセル内に、移動局装置１０がいる間に、ページング信号の受信を検出した場合は、ステップＳｂ２で、ＩＦＲＩが「ｎｏｔ  ａｌｌoｗｅｄ」であったと判定し（Ｓｂ２−Ｙｅｓ）、ＩＦＲＩを適用する。すなわち、ＩＦＲＩで「ｎｏｔ  ａｌｌｏｗｅｄ」が通知された後、ここで初めて記憶部１５が記憶するベストランクドセル（ＣＳＧ基地局装置３１）の周波数以外の周波数をサーチし、該サーチの結果のベストランクドセルに移行して、通信を開始する。通信要求を検出した場合も同様に、ＩＦＲＩを適用する。
以上のように「ｎｏｔ  ａｌｌｏｗｅｄ」を通知されてもすぐに「ｎｏｔ  ａｌｌｏｗｅｄ」とされる周波数とは異なる周波数の基地局装置へすぐに再選択をせずに、ページング信号の受信を検出するまで「ｎｏｔ  ａｌｌｏｗｅｄ」の通知の適用を延期する。
【００３５】
このように通知の適用の遅延をすることにより、これらの監視を行っている間に、移動局装置１０が移動して、ＣＳＧ基地局装置３１のセル外である位置Ｐ２、または、ＣＳＧ基地局装置３２のセル内である位置Ｐ３に移動局装置１０が位置する場合は、図３のステップＳａ１のセルサーチの結果、ベストランクドセルは、基地局装置２１、２２、あるいは、ＣＳＧ基地局装置３２となり、ステップＳａ１０にて、これらの基地局装置を再選択して、キャンプオン設定を行うことができる。すなわち、元々ベストランクドセルであったＣＳＧ基地局装置３１と周波数が同じか否かにかかわらず、再選択先として最も適した基地局装置を再選択して、キャンプオン設定するので、強制的にＣＳＧ基地局装置３１と異なる周波数の基地局装置に移行して、サービス品質が劣化するのを防ぐことができる。このステップＳａ１０の再選択の際、ＩＦＲＩ情報はクリアされているので、この後で、ページング信号の受信や、通信要求の発生など、移動局装置１０からの送信が発生しても、移動局装置１０は、ＩＦＲＩを適用しない。
【００３６】
なお、ステップＳｂ３およびＳｃ３におけるセルへの移行は、待ち受け状態における再選択と同様の手順にて移行するようにしてもよいし、一旦、通信状態になってからハンドオーバーと同様の手順にて移行するようにしてもよい。
また、ＩＦＲＩ情報をクリアするタイミングは、ステップＳａ１のセルサーチの結果、ＩＦＲＩ情報のもとになったＩＦＲＩを送信した基地局装置がベストランクドセルで無くなったとき、即ち、ベストランクドセルが前回のセルサーチと変わったときとしても良い。
また、キャンプオン制御部１４４は、記憶部１５にベストランクドセルの周波数を記憶させるとして説明したが、周波数を記憶させず、ＩＦＲＩ情報としてＣＳＧ＿ＩＤを記憶し、周波数については、報知情報から取得するようにしてもよい。
【００３７】
このように、干渉が生じる移動局装置１０が送信する、通信時において、ＩＦＲＩをチェックし、ｎｏｔ  ａｌｌｏｗｅｄが通知されている場合は、ＩＦＲＩに従い、強制的に異周波数のセルへ移ることにより、ＩＦＲＩを通知している基地局装置に対して、不要な干渉を防げることができる。また、ページング信号を受信しない（着信がない）、あるいは通信要求が発生しない（発呼しない）時は、できる限り、同周波数を含む他の基地局装置（特にＣＳＧ基地局装置）を探す余地を残すことができる。
【００３８】
また、上述の非特許文献３では、タイマが満了してしまうと、非特許文献４と同様に、同一周波数での再選択が一定時間制限され、別の周波数から基地局装置を再選択することになるため、近隣に接続可能なintra frequency CSG cellsが存在したとしても再選択ができなくなり、サービス品質劣化が引き起こされることがある。しかし、本実施形態では、禁止の通知を適用するタイミングが、移動局の送信が開始であるので、タイマの満了に関係なく、同一周波数のセルにキャンプオンしているため、サービス品質の劣化を抑えることができる。
【００３９】
［第２の実施形態］
以下、図面を参照して、本発明の第２の実施形態について説明する。本実施形態における移動体通信システムは、移動局装置１０に変えて、移動局装置１０ａを備える点が、第１の実施形態とは異なる。図７は、本実施形態における移動局装置１０ａの構成を示す概略ブロック図である。同図において、図２の各部に対応する部分には同一の符号（１１〜１３、１５、１６、１４１〜１４３）を付け、その説明を省略する。移動局装置１０ａは、アンテナ１１、送信部１２、受信部１３、制御部１４ａ、記憶部１５、ＵＩ部１６を具備する。制御部１４ａは、通信要求検出部１４１、通信処理部１４２、ページング信号検出部１４３、キャンプオン制御部１４４ａ、タイマ部１４５ａを具備する。キャンプオン制御部１４４ａは、図２のキャンプオン制御部１４４ａとは、記憶部１５にＩＦＲＩ情報とベストランクドセルの周波数を記憶させる際（図３のステップＳａ７）に、タイマ部１４５ａを起動する点が異なる。タイマ部１４５ａは、キャンプオン制御部１４４ａから起動されると、カウント値が予め設定されたタイマ値となるまで、時間の経過をカウントする。そして、タイマ部１４５ａは、タイマ値満了となると、他の周波数に移行し、記憶部１５が記憶するＩＦＲＩ情報をクリアする。
【００４０】
図８は、タイマ部１４５ａの動作を説明するフローチャートである。タイマ部１４５ａは、キャンプオン制御部１４４ａから起動されると、タイマ値満了まで、待機する（Ｓｄ１）。タイマ値満了となると（Ｓｄ１−Ｙｅｓ）、記憶部１５のＩＦＲＩ情報を参照し、「ｎｏｔ  ａｌｌｏｗｅｄ」であるか否かを判定する。「ｎｏｔ  ａｌｌｏｗｅｄ」でないと判定したときは（Ｓｄ２−Ｎｏ）、処理を終了する。
一方、ステップＳｄ１において、「ｎｏｔ  ａｌｌｏｗｅｄ」であると判定したときは（Ｓｄ２−Ｙｅｓ）、タイマ部１４５ａは、記憶部１５が記憶するベストランクドセルの周波数を読出し、該周波数以外の周波数を受信部１３に設定して、周辺基地局装置からの信号の受信レベルを受信部１３に測定させるセルサーチを行う。タイマ部１４５ａは、このセルサーチの結果のベストランクドセルの送受信周波数を、送信部１２と受信部１３とに設定するなどして、該セルに移行する（Ｓｄ３）。次に、タイマ部１４５ａは、記憶部１５が記憶するＩＦＲＩ情報をクリアし（Ｓｄ４）、処理を終了する。
【００４１】
なお、本実施形態においても、以下の条件を満たすときは、ページング信号を受信し、着信があった場合には、タイマ部１４５ａのタイマ値満了を待たずに、図４と同様の動作を開始する。その条件とは、タイマ部１４５ａのタイマ値が満了する前であって、記憶部１５が記憶するＩＦＲＩ情報が「ｎｏｔ  ａｌｌｏｗｅｄ」である。なお、このときは、移動局装置１０ａは、記憶部１５が記憶するベストランクドセルの周波数と同一周波数のセルにキャンプオンしている。これは、例えば、図６のセル３１にしばらくとどまっている場合などに発生する。
また、同様の条件を満たすときに、移動局装置１０ａからの通信要求を検出したときは、タイマ部１４５のタイマ値満了を待たずに、図５と同様の動作を開始する。
【００４２】
このように、タイマ部１４５によりタイマの制御にてＩＦＲＩ情報が「ｎｏｔ  ａｌｌｏｗｅｄ」であってもタイマ値が満了するまでは、できる限り、同周波数を含む他の基地局装置（特にＣＳＧ基地局装置）を探す余地を残す構成においても、干渉が生じる移動局装置１０が送信する、通信時において、ＩＦＲＩをチェックし、ｎｏｔ  ａｌｌｏｗｅｄが通知されている場合は、ＩＦＲＩに従い、強制的に異周波数のセルへ移ることにより、ＩＦＲＩを通知している基地局装置に対して、不要な干渉を防げることができる。また、ページング信号を受信しない（着信がない）、あるいは通信要求が発生しない（発呼しない）時は、できる限り、同周波数を含む他の基地局装置（特にＣＳＧ基地局装置）を探す余地を残すことができる。
【００４３】
［第３の実施形態］
以下、図面を参照して、本発明の第３の実施形態について説明する。本実施形態における移動体通信システムは、移動局装置１０に変えて、移動局装置１０ｂを備える点が、第１の実施形態とは異なる。図９は、本実施形態における移動局装置１０ｂの構成を示す概略ブロック図である。同図において、図２の各部に対応する部分には同一の符号（１１〜１３、１５、１６、１４２〜１４４）を付け、その説明を省略する。移動局装置１０ｂは、アンテナ１１、送信部１２、受信部１３、制御部１４ｂ、記憶部１５、ＵＩ部１６を具備する。制御部１４ｂは、通信要求検出部１４１ｂ、通信処理部１４２、ページング信号検出部１４３、キャンプオン制御部１４４を具備する。通信要求検出部１４１ｂは、図２の通信要求検出部１４１と同様、移動局装置１０ｂが待ち受け状態にあるときに、メールを送信する、電話をかけるなど、ＵＩ部１６を介したユーザから操作入力により、基地局装置への送信の要求が発生したことを検出する。ただし、通信要求検出部１４１ｂは、通信要求を検出すると、記憶部１５が記憶するＩＦＲＩ情報を参照し、ＩＦＲＩ情報が「ｎｏｔ  ａｌｌｏｗｅｄ」であるときには、発信が不可能であることを、ＵＩ部１６を介して、ユーザに通知する点が、図２の通信要求検出部１４１とは異なる。
【００４４】
図１０は、通信要求検出部１４１ｂの動作を説明するフローチャートである。すなわち、通信要求検出部１４１ｂは、通信要求を検出すると（Ｓ８０１）、記憶部１５が記憶するＩＦＲＩ情報が「ｎｏｔ  ａｌｌｏｗｅｄ」であるか否かを判定する（Ｓ８０２）。このステップＳ８０２の判定の結果、「ｎｏｔ  ａｌｌｏｗｅｄ」でないときは（Ｓ８０２−ＮＯ）、その時点でキャンプオンしているセルで通信を開始し（Ｓ８０４）、処理を終了する。一方、ステップＳ８０２の判定の結果、「ｎｏｔ  ａｌｌｏｗｅｄ」であるときは（Ｓ８０２−ＹＥＳ）、発信が不可能であることをＵＩ部１６に表示するなどして、ユーザに通知し、通信は行わず、処理を終了する。
【００４５】
このように、干渉が生じる移動局装置１０が送信する、通信時において、ＩＦＲＩをチェックし、ｎｏｔ  ａｌｌｏｗｅｄが通知されている場合は、ＩＦＲＩに従い、通信が不可能である旨を知らせ、通信を行わないことで不要な干渉を防げることができる。
【００４６】
また、図２における制御部１４、図７における制御部１４ａ、図９における制御部１４ｂの機能を実現するためのプログラムをコンピュータ読み取り可能な記録媒体に記録して、この記録媒体に記録されたプログラムをコンピュータシステムに読み込ませ、実行することにより制御部１４の処理を行ってもよい。なお、ここでいう「コンピュータシステム」とは、ＯＳや周辺機器等のハードウェアを含むものとする。
【００４７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４８】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００４９】
１０、１０ａ、１０ｂ…移動局装置  １１…アンテナ  １２…送信部  １３…受信部  １４、１４ａ、１４ｂ…制御部  １５…記憶部  １６…ＵＩ部  １４１、１４１ｂ…通信要求検出部  １４２…通信処理部  １４３…ページング信号検出部  １４４、１４４ａ…キャンプオン制御部  １４５ａ…タイマ部  ２１、２２…基地局装置  ３１、３２…ＣＳＧ基地局装置
【図１】
2011087014.tif 000003
【図２】
2011087014.tif 000004
【図３】
2011087014.tif 000005
【図４】
2011087014.tif 000006
【図５】
2011087014.tif 000007
【図６】
2011087014.tif 000008
【図７】
2011087014.tif 000009
【図８】
2011087014.tif 000010
【図９】
2011087014.tif 000011
【図１０】
2011087014.tif 000012
【国際調査報告】
2011087014.tif 000013
2011087014.tif 000014